(57)【要約】【課題】  健康管理企業内のイメージング及び情報システムのために患者を識別するシステム及び方法を提供する。【解決手段】  健康管理企業における各々の患者登録サービスに患者識別子ドメイン（ＰＩＤＤ）を割り当て、各々の施設、設備機器及びユーザにデフォルト患者識別子ドメイン（デフォルトＰＩＤＤ）を割り当て、患者に患者識別子（ＰＩＤ）を割り当て、各々のＰＩＤＤにグローバル患者識別子ドメイン識別番号（ＰＩＤＤ−ＩＤ）を割り当て、各々のＰＩＤＤをＰＩＤＤ−ＩＤと関連付ける手段と、ＰＩＤをＰＩＤＤと関連付けてユニークな患者識別子を生成する。【選択図】        図１
2004199663.tif 000002
【特許請求の範囲】
【請求項１】
設備機器（１６）及びユーザ（１８）を含む施設を有している健康管理企業（２０）内のイメージング及び情報システムのために患者を識別する方法であって、
前記健康管理企業（２０）における各々の患者登録登録サービスに患者識別子ドメイン（ＰＩＤＤ）（２２）を割り当てるステップと、
各々の施設（１２）、設備機器（１６）及びユーザ（１８）にデフォルト患者識別子ドメイン（デフォルトＰＩＤＤ）（２２）を割り当てるステップと、
患者（Ｐ）に患者識別子（ＰＩＤ）（１１０）を割り当てるステップと、
各々のＰＩＤＤ（２２）にグローバル患者識別子ドメイン識別番号（ＰＩＤＤ−ＩＤ）（２４）を割り当てるステップと、
各々のＰＩＤＤ（２２）を前記ＰＩＤＤ−ＩＤ（２４）と関連付けるステップと、
前記ＰＩＤ（１１０）を前記ＰＩＤＤ（２２）と関連付けてユニークな患者識別子（１１２）を生成するステップと
を含んでいる方法。
【請求項２】
ＰＩＤ（１１０）、ＰＩＤＤ（２２）及びＰＩＤＤ−ＩＤ（２４）を記憶装置（１０６）上のルックアップ・テーブル（１０８）内に記憶させるステップを含む請求項１記載の方法。
【請求項３】
前記設備機器（１６）上で前記ルックアップ・テーブル（１０８）を表示するステップを含む請求項２記載の方法。
【請求項４】
前記表示が、デフォルトＰＩＤＤ（２２）を表示するユーザ・インターフェース（ＵＩ）（１０５）を含んでいる、請求項３記載の方法。
【請求項５】
デフォルトＰＩＤＤ（２２）を変更するステップを含んでいる請求項４記載の方法。
【請求項６】
患者を少なくとも１つのユニークな患者識別子（１１２）と関連付けるステップを含んでいる請求項１記載の方法。
【請求項７】
前記ＰＩＤ（１１０）は、患者の名前、患者の年齢、患者の社会保障番号、患者の性別及び患者の住所よりなるグループから選択された電子的オーダー記録によって表される、請求項１記載の方法。
【請求項８】
設備機器（１６）及びユーザ（１８）を含む施設（１２）を有している健康管理企業（２０）内のイメージング及び情報システムのために患者を識別するシステムであって、
前記健康管理企業（２０）に患者識別子ドメイン（ＰＩＤＤ）（２２）を割り当てる手段と、
各々の施設（１２）、設備機器（１６）及びユーザ（１８）にデフォルト患者識別子ドメイン（デフォルトＰＩＤＤ）（２２）を割り当てる手段と、
患者（Ｐ）に患者識別子（ＰＩＤ）（１１０）を割り当てる手段と、
各々のＰＩＤＤ（２２）にグローバル患者識別子ドメイン識別番号（ＰＩＤＤ−ＩＤ）（２４）を割り当てる手段と、
各々のＰＩＤＤ（２２）を前記ＰＩＤＤ−ＩＤ（２４）と関連付ける手段と、
前記ＰＩＤ（１１０）を前記ＰＩＤＤ（２２）と関連付けてユニークな患者識別子（１１２）を生成する手段と
を含んでいるシステム。
【請求項９】
ＰＩＤ（１１０）、ＰＩＤＤ（２２）、デフォルトＰＩＤＤ（２２）及びＰＩＤＤ−ＩＤ（２４）をルックアップ・テーブル（１０８）に記憶させるように構成された記憶手段（１０６）を含んでいる請求項８記載のシステム。
【請求項１０】
前記記憶手段（１０６）は前記施設（１２）内に設けられている、請求項９記載のシステム。
【発明の詳細な説明】
【技術分野】
【０００１】
本発明は健康管理企業内の患者についてユニークな患者識別子を提供するためのシステム及び方法に関するものである。
【背景技術】
【０００２】
患者が健康管理企業に入るとき、登録手続きが行われる。この登録には、典型的には、患者の名前、患者の年齢、患者の社会保障番号、患者の性別、及び患者の住所が含まれれる。また、健康管理企業内で同じ患者について複数の独立した患者登録サービスが行われるのも珍しいことではない。例えば、登録は救急処置室で必要とされることがあり、追加の登録がＸ線研究室で又は整形外科診療室で又は健康管理企業の薬局などでも行われている。また、患者記録を作成し管理する健康管理企業内にある又は健康管理企業とは別にある異なる病院、診療所、機関又は部門に患者が受け入れられることもある。典型的には、一人の患者がこれらの組織単位の各々で診断又は治療を受けるときに異なる患者ＩＤ番号を割り当てられることがある。健康管理企業が、企業全体でのこのような情報及び患者記録を互いに連結して単一の患者フォルダとして保持し、且つ該健康管理企業のイメージング及び情報システム、例えば、画像保管及び通信システム（ＰＡＣＳ）に連結することを必要としているときに、問題が生じる。
【０００３】
従って、患者に特有である健康管理企業内のイメージング及び情報システムのために患者を識別するシステムが要望されている。更に、健康管理企業のシステム全体にわたって患者識別子を保持する際に、健康管理企業内のイメージング及び情報システムのために患者を識別する方法が要望されている。
【発明の開示】
【０００４】
本発明では、健康管理企業内のイメージング及び情報システムのために患者を識別するシステムの模範的な実施形態を提供する。健康管理企業は、典型的には設備機器及びユーザを含む施設を有している。本システムは、健康管理企業における各々の患者登録サービスに患者識別子ドメイン（ＰＩＤＤ）を割り当てる手段と、各々の施設、設備機器及びユーザにデフォルト患者識別子ドメイン（デフォルトＰＩＤＤ）を割り当てる手段と、患者に患者識別子（ＰＩＤ）を割り当てる手段と、各々のＰＩＤＤにグローバル患者識別子ドメイン識別番号（ＰＩＤＤ−ＩＤ）を割り当てる手段と、各々のＰＩＤＤをＰＩＤＤ−ＩＤと関連付ける手段と、ＰＩＤをＰＩＤＤと関連付けてユニークな患者識別子を生成する手段とを含んでいる。
【０００５】
また、健康管理企業内のイメージング及び情報システムのために患者を識別する方法も提供する。健康管理企業は、典型的には設備機器及びユーザを含む施設を有している。本方法は、健康管理企業における各々の患者登録サービスに患者識別子ドメイン（ＰＩＤＤ）を割り当てるステップと、各々の施設、設備機器及びユーザにデフォルト患者識別子ドメイン（デフォルトＰＩＤＤ）を割り当てるステップと、患者に患者識別子（ＰＩＤ）を割り当てるステップと、各々のＰＩＤＤにグローバル患者識別子ドメイン識別番号（ＰＩＤＤ−ＩＤ）を割り当てるステップと、各々のＰＩＤＤをＰＩＤＤ−ＩＤと関連付けると共に、ＰＩＤをＰＩＤＤと関連付けてユニークな患者識別子を生成するステップとを含んでいる。
【発明を実施するための最良の形態】
【０００６】
図面を参照して説明すると、図１はデータベースにおける患者識別モデルのブロック線図である。患者エンティティ（Ｐ）は実在の患者をモデル化している。患者識別情報（ＰＩＤ）１１０は、患者（Ｐ）に割り当てられた属性を含む実在の患者のＩＤデータ入力をモデル化している。このような属性は、それらに限定されないが、患者の名前、患者の年齢、患者の社会保障番号、患者の性別、患者の住所、又はユーザによって選択され且つシステム１０で利用できるような他の情報とすることができる。ＰＩＤ１１０はまた、特定の患者登録サービスによって割り当てられた番号とすることもできる。ＰＩＤ１１０の各発行者は患者識別ドメイン・エンティティ（ＰＩＤＤ）としてモデル化される。ＰＩＤＤ２２は、全てのＰＩＤが一貫したやり方で同じシステムから発行される実在のドメインをモデル化している。
【０００７】
健康管理企業２０にはユニークな識別番号（ＰＩＤＤ−ＩＤ）２４を割り当てることができる。このような健康管理企業２０内では、各々の施設１２にデフォルトＰＩＤＤ２２が割り当てられると共に、各々の部門１４にも並びに施設１２のその部門内で利用される設備機器１６にもデフォルトＰＩＤＤ２２が割り当てられる。各々のこのようなエンティティに別々のデフォルトＰＩＤＤが割り当てられ、各々のＰＩＤＤ２２はシステム１０内のＰＩＤＤ−ＩＤ２４と関連付けられる。各々のＰＩＤ１１０及びＰＩＤＤ２２は連結されて、健康管理企業２０内でのユニークな患者識別番号１１２を形成する。様々なＰＩＤ、ＰＩＤＤ、デフォルトＰＩＤＤ及びＰＩＤＤ−ＩＤの値は、システム１０内の又はシステム１０に付設された記憶装置１０６上に保持されたルックアップ・テーブル１０８に記憶される。
【０００８】
場合によっては、ＰＩＤＤ２２は何らかの地理的／組織的範囲に関係付けられる。例えば、ＰＩＤＤは中央病院に割り当てることができ、その病院に付設された整形外科診療室に異なるＰＩＤＤを割り当てることができ、また該中央病院に付設されたイメージング・センタに第３のＰＩＤＤを割り当てることができる。これらのエンティティの各々に入る患者には、別々の患者登録サービスによって異なる患者識別番号（ＰＩＤ）を割り当てることができ、各々のＰＩＤはユニークなＰＩＤＤに連結することにより、システム１０の全体にわたって使用されるユニークな患者識別子１１２を生成することができる。
【０００９】
図２は、ＰＩＤＤ２２情報を健康管理企業２０の一部門１４内の施設１２及びその設備機器１６に関連付ける患者識別子ドメイン構成の模範的な実施形態のブロック図である。各々の設備機器１６は、その部門１４及び施設１２の関係と共にＰＩＤＤ２２に関連付けられる。医師又は他の健康管理提供者のようなユーザ・エンティティ１８には、健康管理企業２０の施設１２と関連付けられた別個のＰＩＤＤ２２が割り当てられる。
【００１０】
複数のＰＩＤを一人の患者（Ｐ）に関連付けることができ、そこで各々のＰＩＤ１１０について、そのＰＩＤＤ２２を記録して、どのＰＩＤＤ２２がこのＰＩＤ１１０を生成したのかを示す。本システムはＰＩＤ１１０を単独で使用しない。というのは、ＰＩＤ１１０が患者識別子１１２の一部として取り扱われるからである。ＰＩＤＤ２２とＰＩＤ１１０との対によって患者識別子１１２の完全な定義が形成される。この定義は、それらに限定されないが、システム１０内での問合せ、整合(matching)、表示、印刷、メッセージ、通信などを含む、患者識別子１１２が必要とされる全ての状況において使用される。一人の患者（Ｐ）に２つ以上のユニークな患者識別子を関連付けることができる。このような場合は、患者（Ｐ）がその企業の外部にある施設に登録されるとき、或いはその患者の健康管理にとって異なる種類の設備機器が使用されるときに生じ得る。
【００１１】
図３は、システム１０に付設された記憶装置１０６に記憶されたルックアップ・テーブル１０８、患者識別子（１１２）情報の電子的記録１１０の一例を表示するシステムの模範的な実施形態である。システム１０は、典型的には、表示画面１０４及び入力装置１０２を持つオペレータ・コンソール１００を含んでいる。グラフィカル・ユーザ・インターフェース１０５が、システム１０の表示画面１０４上に表示される。その表示は、ルックアップ・テーブル１０８と、システムのユーザに情報を提供するための様々な他のアイコンを含んでいる。
【００１２】
動作において、デフォルトＰＩＤＤが、表示画面１０４上に表示されたルックアップ・テーブル１０８からの関連情報と共に表示される。ユーザ・インターフェース１０５は、デフォルトＰＩＤＤを、ルックアップ・テーブル１０８から検索されて表示画面１０４上に表示される対応する情報と共に、異なるＰＩＤＤへ変更させることができる。
【００１３】
図３に示す例では、デフォルトＰＩＤＤは模範例の健康管理企業２０の中央病院であり、表示画面１０４上に表示された中央病院ＰＩＤＤによって３人の患者（Ｐ）にＰＩＤ１１０が割り当てられている。選択されたデフォルトＰＩＤＤによってＰＩＤが割り当てられなかった患者は、ＰＩＤを有していないものとして示されている。
【００１４】
オペレータ・コンソール１００におけるデフォルトＰＩＤＤの変更やその他の動作が、入力装置１０２によって行われる。入力装置１０２は、マウス、ジョイスティック、タッチ・ボール、タッチ・スクリーン、音声認識制御器、及び光ワンド(wand)を含むグループから選択することができる。例えば、ユーザ・インターフェース１０５のデフォルトＰＩＤＤアイコンを「クリック」することにより、変更を行うようにシステム１０に命令する。次いで、オペレータ又はユーザは関心のあるＰＩＤＤを選択して、その時のカレントのデフォルトＰＩＤＤに対してそれを変更する。そのとき、システム１０は、システム１０に付設された記憶装置１０６に記憶されているルックアップ・テーブル１０８から適切な情報を求める。記憶装置１０６は、それらに限定されないが、フレキシブルディスク、ハードディスク、光ディスク、ＣＤ−ＲＯＭ及び磁気光学ディスクのような任意の種類のディスク、ＲＯＭ、ＲＡＭ、ＥＰＲＯＭ、ＥＥＲＯＭ、磁気及び光学カード、或いは電子的命令を記憶するのに適した任意の種類の媒体を含むことができる。
【００１５】
オペレータ・コンソール１００は汎用コンピュータであってよいこと、或いはシステム１０の一部であるサーバー又はメインフレームに結合されたワークステーションであってよいことを理解されたい。また、オペレータ・コンソール１００と記憶装置１０６との間の通信が、関心のある情報を表したエネルギの有線、無線又は光学的伝送によるものであってよいと考えられる。
【００１６】
上述の記憶媒体のうちの任意の１つに記憶する場合、本システムはシステム１０のハードウエアを制御するため、及びユーザ（人）と相互作用するようにオペレータ・コンソール１００を動作可能にするためのプログラムを含んでいる。このようなプログラムは、それらに限定されないが、装置ドライバの実行のためのソフトウエア、オペレーティング・システム、及びユーザ・アプリケーションを含んでいてよい。このようなコンピュータ読出し可能な媒体は更に、本発明に従ってタスクを実行するようにシステムに指図するプログラム又はソフトウエア命令を含んでいる。
【００１７】
図４は、システム１０内でアクセス可能である患者識別子（ＰＩＤ）１１０及び患者識別ドメイン（ＰＩＤＤ）情報２２を用いて、患者識別子１１２を生成する方法の模範的な実施形態の流れ図である。患者（Ｐ）についての受け取った電子的オーダー記録１１０がシステムに入力されて、ＰＩＤドメインに整合(match) させる。整合が存在する場合、それは患者識別子１１２として入力される。整合が存在しない場合、追加のＰＩＤ情報が求められ、システム１０は絶えず患者ＰＩＤ情報をＰＩＤＤ情報と整合させようと試行し、整合は得られたとき又は生じたとき、画像保管及び通信システム（ＰＡＣＳ）の様なイメージング及び情報システム内の患者記録に記憶され、システム１０に付設されたルックアップ・テーブル１０８内に保持される。
【００１８】
設備機器１６及びユーザ１８を含む施設１２を有している健康管理企業２０内のイメージング及び情報システム（ＰＡＣＳ）のために患者（Ｐ）を識別する方法が提供される。本方法は、健康管理企業２０における各々の患者登録サービスに患者識別子ドメイン（ＰＩＤＤ）２２を割り当てるステップと、各々の施設１２、設備機器１６及びユーザ１８にデフォルト患者識別子ドメイン（デフォルトＰＩＤＤ）２２を割り当てるステップと、患者（Ｐ）に患者識別子（ＰＩＤ）１１０を割り当てるステップと、各々のＰＩＤＤにグローバル患者識別子ドメイン識別番号（ＰＩＤＤ−ＩＤ）を割り当てるステップと、各々のＰＩＤＤ２２をＰＩＤＤ−ＩＤ２４と関連付けると共に、ＰＩＤ１１０を選択されたＰＩＤＤ２２と関連付けてユニークな患者識別子１１２を生成するステップとを含んでいる。本方法はまた、ＰＩＤ１１０、ＰＩＤＤ２２及びＰＩＤＤ−ＩＤ２４を記憶装置１０６のルックアップ・テーブル１０８内に記憶させるステップを含むことができる。記憶装置１０６は施設１２内に設けることができるし、或いは施設外に設けて、適切な通信施設によってシステム１０に結合されるようにすることができる。
【００１９】
本方法はまた、デフォルトＰＩＤＤを表示するユーザ・インターフェース１０５を含む表示装置により設備機器１６上でルックアップ・テーブル１０８を表示するステップを含むことができる。表示装置はまた、マウス、ジョイスティック、トラック・ボール、タッチ・スクリーン、音声認識制御器、及び光ワンド(wand)を含むグループから選択された入力装置１０２を使用して、デフォルトＰＩＤＤを変更するためのツールを含んでいる。異なるＰＩＤＤ２２の追加のＰＩＤ１１０を患者（Ｐ）と関連付けて、該患者について支持される複数の患者識別子を生成することができ、これにより患者の診療データの全ての統合した表示を提供すると共に、健康管理企業２０内の異なる情報源からの情報を容易に受け取ることができる。
【００２０】
このようにして、健康管理企業内のイメージング及び情報システムための複数の患者識別子を支持する方法が提供される。説明した方法及びシステムについての多数の変更及び変形が上記の教示に基づいて行えることは明らかである。従って、特許請求の範囲内で、これまで説明した特定の方法とは別の方法で本発明を実施し得ることは勿論である。
【図面の簡単な説明】
【００２１】
【図１】ユニークな患者識別子を生成するために患者（Ｐ）を患者識別子（ＰＩＤ）及び患者識別子ドメイン（ＰＩＤＤ）に連結する、データベース内の患者識別モデルのブロック図である。
【図２】ＰＩＤＤ情報を健康管理企業の様々な部門内の施設及びその設備機器と関連付ける患者識別子ドメイン構成の模範的な実施形態のブロック図である。
【図３】システムに付設された記憶装置に記憶されたルックアップ・テーブル、電子的オーダー記録及び患者識別子情報の一例を表示するシステムの模範的な実施形態である。
【図４】本システムにおいてアクセス可能である患者識別子（ＰＩＤ）及び患者識別子ドメイン（ＰＩＤＤ）情報を用いて、患者識別子を生成する方法の模範的な実施形態の流れ図である。
【符号の説明】
【００２２】
１０  システム
２０  健康管理企業
１００  オペレータ・コンソール
１０２  入力装置
１０４  表示画面
１０５  グラフィカル・ユーザ・インターフェース
１０６  記憶装置
１０８  ルックアップ・テーブル
１１２  ユニークな患者識別子
【図１】
2004199663.tif 000003
【図２】
2004199663.tif 000004
【図３】
2004199663.tif 000005
【図４】
2004199663.tif 000006
【外国語明細書】
2004199663000001.pdf